(57)【要約】【課題】複数枚の非接触型ＩＣカードを収容するケースにおいて、その内部の１枚のカードについてのみ読み取りを行うことが出来るようなＩＣカード用ケースを提供すること。【解決手段】電磁波遮蔽シートと非接触型ＩＣカードとが近接して配置されないように所定距離離間することにより、非接触型ＩＣカードのアンテナの動作が妨げられることがなくなる。したがって、外部のカード読み書き装置（リーダー、ライターなどと呼ばれる場合もある）は、ケース内部に収容された非接触型ＩＣカードの１枚とのみデータの送受信を行うことが可能となる。【選択図】図２
2008165321.tif 000002
【特許請求の範囲】
【請求項１】
複数枚のＩＣカードを収容する複数の区画を有するＩＣカードケースにおいて、    
前記区画を仕切る板であって、電磁波遮蔽シートを有する仕切り板と、
前記ＩＣカードと前記電磁波遮蔽シートとを所定の距離離間させるためのセパレータと、
を含み、前記セパレータは、前記ＩＣカード内のアンテナの受信動作を妨げない距離だけ、前記ＩＣカードと前記電磁波遮蔽シートとを離間させるためのセパレータであることを特徴とする非接触型ＩＣカード用ケース。
【請求項２】
請求項１記載の非接触型ＩＣカード用ケースにおいて、
前記セパレータは、前記ＩＣカードと前記電磁波遮蔽シートとを３ｍｍ以上離間させることを特徴とする非接触型ＩＣカード用ケース。
【請求項３】
請求項１記載の非接触型ＩＣカード用ケースにおいて、
前記セパレータは、前記ＩＣカードと前記電磁波遮蔽シートとを６ｍｍ以上離間させることを特徴とする非接触型ＩＣカード用ケース。
【請求項４】
請求項１記載の非接触型ＩＣカード用ケースにおいて、
前記セパレータは、前記ＩＣカードと前記電磁波遮蔽シートとを１０ｍｍ以上離間させることを特徴とする非接触型ＩＣカード用ケース。
【請求項５】
請求項１〜請求４のいずれかに記載の非接触型ＩＣカード用ケースにおいて、
前記記セパレータは、固体、発泡体、または、柔軟性のある材料、気室を有する構造体、のいずれかから構成されることを特徴とする非接触型ＩＣカード用ケース。
【発明の詳細な説明】
【技術分野】
【０００１】
本発明は、非接触型ＩＣカード用ケースに関する
【背景技術】
【０００２】
近年、普及しつつあるＩＣカードはその高いデータ処理能力やメモリ容量の大きさから、データ記憶媒体や情報処理媒体として、ＩＤ認証、金融、交通、輸送、情報セキュリティの各分野で広く利用されて、今後さらに拡張する傾向にある。
【０００３】
ところが、複数のＩＣカードを同一のカードケースに収容し、読み取り装置にかけた場合、ＩＣカードが相互に競合、あるいは干渉することにより情報を正確に読み取れないことがある。
【０００４】
そこで、例えば下記特許文献１では、カードケース本体内に電磁遮蔽材料からなる仕切り板を２枚のＩＣカード間に介在して位置するように設け、読み取り装置と対向するＩＣカードのみが交信状態になるように電波の送信及び受信を阻止するように構成した電磁誘導型ＩＣカード用ケースが記載されている。
【０００５】
また、下記特許文献２では、電磁波遮蔽シートを複数のＩＣカードの中間に挟まるように
設置することにより、読み取り装置から遠い側のカードに電波が作用することを防ぎ、１枚のＩＣカードだけが機能するようなＩＣカード用ケースが記載されている。
【０００６】
【特許文献１】特開２００４−１０２４７３号公報
【特許文献２】特開２００５−１２８９８２号公報
【発明の開示】
【発明が解決しようとする課題】
【０００７】
さて、この特許文献１に開示されているカード用ケースの構造は、電磁波遮蔽シートが２枚のＩＣカードに挟まれるような構造である。ここに開示されている技術によれば、電磁波遮蔽シートは非導電性材料からなり、読み取り装置と対向するＩＣカードのみが交信状態になり、電磁波遮蔽シートによって隠されている側のＩＣカードは交信ができないと記載されている。
【０００８】
ところが、本願発明者が実際にこのような構造のＩＣカード用ケースを試作して確認したところ、電磁波は、２枚のＩＣカードのいずれにも到達することができず、いずれとも交信することができなかった。また、記憶されている情報を正確によみとることができなかった。
【０００９】
これは電磁波遮蔽シートが２枚のＩＣカードに極めて近接して配置されているためであると考えられる。すなわち、この電磁波遮蔽シートは電磁波を吸収するものであり、このような吸収材がＩＣカードと極めて近接した位置に配置していると、電磁波もこの電磁波遮蔽シートに吸収されてしまい、ＩＣカードには有効な電磁波が到達しないと考えられる。
【００１０】
さらに、近年用いられているＩＣカードは、いわゆるバッテリーレスであり、専用の電源装置を備えていない。このような近年のＩＣカードにおいては、線状の大きなアンテナをカード内に内蔵し、外部からの電磁波によって内部で用いる電力を得ている。従って、近年のＩＣカードは、十分に強力な電磁波を受信できないと、内部で用いる電力をまかなうことができないものである。このような点からも、ＩＣカードに近接してこの電磁波遮蔽シートが位置する場合には、このＩＣカードに必要な電力が十分に供給されずにＩＣカードが働くことができなくなることが予想される。
【００１１】
このように、電磁波遮蔽シートに極めて近接した位置にＩＣカードが存在する場合に、ＩＣカードとの交信ができないことは、特許文献２に記載のＩＣカードについても同様である。つまり、この特許文献２に記載のＩＣカード用ケースでもその内部のＩＣカードの読み取り等をすることは困難であるという課題が生じると予想される。
【００１２】
本発明は、上記課題に鑑みなされたものであり、その目的は、複数枚の非接触型ＩＣカードを収容するケースにおいて、その内部の１枚のカードについてのみ読み取りを行うことが出来るようなＩＣカード用ケースを提供することである。
【課題を解決するための手段】
【００１３】
本発明は、上記課題に鑑みなされたものであり、電磁波遮蔽シートとＩＣカードとを所定の距離離間するような手段を用いることによって、電磁波遮蔽シートとＩＣカードとの間に所定の空間（距離）を設け、読み取り装置に対向しているＩＣカードとのみ交信することが可能な非接触型ＩＣカード用ケースを提供する。
【００１４】
本発明において、特徴的なことは、電磁波遮蔽シートと非接触型ＩＣカードとが近接して配置されないように所定距離離間したことである。この結果、非接触型ＩＣカードのアンテナの動作が妨げられることがなくなる。したがって、外部のカード読み書き装置（リーダー、ライターなどと呼ばれる場合もある）は、ケース内部に収容された非接触型ＩＣカードとのデータの送受信を行うことが可能となる。
【００１５】
具体的には、本発明は、以下のような手段を採用する。  
（１）複数枚のＩＣカードを収容する複数の区画を有するＩＣカードケースにおいて、  区画を仕切る板であって、電磁波遮蔽シートを有する仕切り板と、ＩＣカードと電磁波遮蔽シートとを所定の距離離間させるためのセパレータと、を含み、セパレータは、ＩＣカード内のアンテナの受信動作を妨げない距離だけ、ＩＣカードと電磁波遮蔽シートとを離間させるためのセパレータであることを特徴とする非接触型ＩＣカード用ケースである。
【００１６】
（２）（１）に記載の非接触型ＩＣカード用ケースにおいて、セパレータは、ＩＣカードと電磁波遮蔽シートとを３ｍｍ以上離間させることを特徴とする非接触型ＩＣカード用ケースである。
【００１７】
（３）（１）に記載の非接触型ＩＣカード用ケースにおいて、セパレータは、ＩＣカードと電磁波遮蔽シートとを６ｍｍ以上離間させることを特徴とする非接触型ＩＣカード用ケースである。
【００１８】
（４）（１）に記載の非接触型ＩＣカード用ケースにおいて、セパレータは、ＩＣカードと電磁波遮蔽シートとを１０ｍｍ以上離間させることを特徴とする非接触型ＩＣカード用ケースである。
【００１９】
（５）（１）〜（４）のいずれかに記載の非接触型ＩＣカード用ケースにおいて、セパレータは、固体、発泡体、または、柔軟性のある材料、気室を有する構造体、のいずれかから構成されることを特徴とする非接触型ＩＣカード用ケースである。
【発明の効果】
【００２０】
以上述べたように、本発明によれば、読み取り装置に対向しているＩＣカードに対してのみ、電磁波の送信及び受信を可能にすることができる、非接触型ＩＣカード用ケースを提供することができた。
【００２１】
従って、利用者は、この非接触型ＩＣカード用ケースの内部の使いたいＩＣカードを所望の読み取り装置に接触させるまたは向けることによって、そのＩＣカードのみを用いることができる。従って、複数枚のＩＣカードを保持している場合でも、利用者はこれらのＩＣカードを個別に保持する必要がなく１個のカードケースに保管することができるため、ＩＣカードの利用性をより向上させることが可能である。
【発明を実施するための最良の形態】
【００２２】
以下、本発明の好適な実施の形態を図面に基づいて説明する。
【００２３】
構造
図１は本実施の形態に係る非接触型ＩＣカード用ケース１００の外観図である。また、この非接触型ＩＣカード用ケース１００の断面図が図２に示されている。
【００２４】
まず、非接触型ＩＣカード用ケース１００は、２枚の非接触型ＩＣカードを収容するＩＣカードケース本体１０と、このＩＣカードケース本体１０内に設けられ電磁波遮蔽シート６を含む仕切り板４と、ＩＣカードと仕切り板４とを所定の距離離間させるセパレータ５とから構成されている。また、ＩＣカードケース本体１０は複数の区画を有しており、各区画ごとにＩＣカードの出し入れ口を有する。
【００２５】
ＩＣカードケース本体１０は、矩形状のケースであり、その上面と下面に指穴２が設けられ、その指穴２に指を当ててＩＣカードをスライドさせることにより、ＩＣカードを出し入れすることが可能となる。図１及び図２において、矢印はＩＣカードの抜き差し方向を示している。また、その材質は電磁波を通過させやすい非導電体が好ましい。例えば、皮や柔軟性のある材質、塩化ビニル樹脂や、ポリプロピレンなどが好ましい。利用者の嗜好等を考慮し、手触り等の観点から皮や人工皮革などを利用することも好ましい。特に、ＩＣカードに接触する面はある程度のすべりのよい表面としておくことがＩＣカードの出し入れの観点から好ましい。
【００２６】
仕切り板４は、ＩＣカードを収容する各区画を区分する働きを有するとともに、内部に電磁波遮蔽シート６を備えており、電磁波を吸収し透過させない働きをする。仕切り板４の材質自体は、電磁波を通過させる非導電体から構成されており、上記ＩＣカードケース本体１０と同様の材質でよい。
【００２７】
セパレータ５は所定の厚みを有し、ＩＣカードと上記電磁波遮蔽シート６との距離を所定の距離以上（３ｍｍ以上）に保つ働きをしている。
【００２８】
このようなセパレータ５を備えていることにより、本実施の形態によるＩＣカード用ケースは、内部に保管するＩＣカードと電磁波遮蔽シート６との間の距離を所定距離以上に保つことができるため、ＩＣカードに内蔵されているアンテナの働きを阻害することがない。従って、電磁波遮蔽シート６を備えつつ、読み取り装置等にかざすことにより、このＩＣカードと読み取り装置との間でデータの送受信を円滑に行うことが可能となる。
【００２９】
これに対して、ＩＣカードと電磁波遮蔽シート６とが密着してしまうような従来のＩＣカード用ケースによれば、ＩＣカードに内蔵されているアンテナの動作がこの電磁波遮蔽シート６によって阻害され、データの送受信が円滑に行われなくなる場合があることが、本願発明者の実験により確認されている。
【００３０】
次に、セパレータ５は、仕切り板４の上面に位置する上側セパレータ５ａと、仕切り板４の下面に位置する下側セパレータ５ｂとからなる。上側と下側のセパレータ５は、位置が異なるだけで、同様の材質、構造を有している。
【００３１】
セパレータ５の材質は、電磁波を通過させるものであればどのような材質でも構わない。皮や、各種プラスチック、等、柔軟性のある材質が好ましい。また、ＩＣカードに接する面はある程度の円滑性がある方が好ましい。
【００３２】
このセパレータ５は、中身の詰まった「固体」でよいが、内部に空隙や気室を有する構造体であれば、軽くすることが出来、携帯に便利である。
【００３３】
例えば、スポンジ状の材質や、各種の発泡材を用いることが好ましい。また、梱包などに用いられるエアークッションの如き、気室を多数有する構造体、特に膜から成る膜構造体を用いれば、より軽量化を実現でき、さらにはＩＣカードの保護にも寄与する。セパレータ５は、その他、ポリウレタンや布を素材としても良い。
【００３４】
尚、エアークッションとは、気泡緩衝剤とも呼ばれ、プチプチ（登録商標）やエアキャップ（登録商標）等の名称で呼ばれている。
【００３５】
また、電磁波遮蔽シート６は、従来から知られている各種電磁波遮蔽シートを適宜利用する事が可能である。例えば、金属、金属系繊維、金属膜が塗布された布、または金属膜が蒸着された布等の種々の構成を採用することが可能である。
【００３６】
尚、上では電磁波遮蔽シート６と仕切り板４とを別体に構成し、仕切り板４の中に電磁波遮蔽シート６が組み込まれる構成を説明したが、両者は一体に形成されていても構わない。例えば、仕切り板４を布で構成し、この布に金属膜を塗布することによって、仕切り板４でありかつ電磁波遮蔽シート６であるような構造を採用することも好ましい。また、仕切り板４を所定のプラスチック板で構成し、その表面に金属膜を蒸着して電磁波遮蔽シート６と仕切り板４とを兼用するような構造を採用することも好ましい。
【００３７】
動作
次に、上述したような構成を有するＩＣカード用ケースの利用方法について説明する。
【００３８】
利用者は、通勤や通学において鉄道の２枚の定期券（ＩＣカード）を利用するものと仮定して説明を行う。利用者はこの２枚のＩＣカードを上部ＩＣカード挿入部３ａ及び下部ＩＣカード挿入部３ｂにそれぞれ１枚ずつ挿入する。利用者が鉄道の自動改札機を通過する際に、使用したい方のＩＣカードが挿入された面を読み取り装置に接触または向けることによって、その使用したい１枚のカードについてのみ読み取りを行うことが可能である。
【００３９】
また、利用者が通勤・通学において他の路線に乗り継ぎを行う場合、他方の定期券を使用しようとする。この場合には、新たに使用したい他のＩＣカードが挿入された面を読み取り装置に接触させるように、ＩＣカード用ケース１００をひっくり返して、係る読み取り装置に接触等を行う。この結果、前に読み込ませたものとは別の他方のＩＣカードについてのみデータの読み取り等を行うことが可能となり、乗り継ぎの際にも円滑な定期券の読み取り動作を行わせることが可能であり、利便性の向上したＩＣカード用ケースが実現されている。
【００４０】
尚、ここで説明する動作においては、例えばＪＲ東日本等において用いられているＦｅｌｉＣａ規格（ＦｅｌｉＣａは登録商標）の定期券を前提として説明を行っている。もちろん、本実施の形態は、他の規格の非接触型ＩＣカードにも用いることが可能であり、定期券以外にも、社員証や学生証等のＩＤカードや電子マネー等に用いられている非接触型ＩＣカードにも同様に使うことができることは言うまでもない。
【００４１】
他の実施例
尚、上ではセパレータの厚さは３ｍｍ以上と述べている。この値は、ＦｅｌｉＣａ規格の定期券をもとにして、本願発明者の実験により得られた値であり、この距離によれば一般的な使用法をしているかぎり、データの送受信を可能にする距離である。
【００４２】
しかしながら、読み取り装置によってはその感度等にばらつきがあり、極めてごくまれに一度ではデータの読み取りが行われず、複数回ＩＣカードを読み取り装置に接触させることが必要な場合もあった。そこで、より確実に一度の接触でデータの送受信を可能にしたい場合には、セパレータの厚さを６ｍｍ程度にすることがより好ましい場合もある。
【００４３】
さらに、他の規格の非接触型ＩＣカード等より多種類の非接触型ＩＣカードに対応したい場合には、セパレータの厚さを１０ｍｍ程度にすることがより好ましい場合もある。
【図面の簡単な説明】
【００４４】
【図１】本実施の形態に係る非接触型ＩＣカード用ケースの外観図である。
【図２】本実施の形態に係る非接触型ＩＣカード用ケースの断面図である。
【符号の説明】
【００４５】
２  指穴
３ａ  上部ＩＣカード挿入部
３ｂ  下部ＩＣカード挿入部
４  仕切り板
５  セパレータ
６  電磁波遮蔽シート
７ａ  上部ＩＣカード
７ｂ  下部ＩＣカード
１０  ＩＣカード用ケース本体
１００  非接触型ＩＣカード用ケース
【図１】
2008165321.tif 000003
【図２】
2008165321.tif 000004